(57)【要約】【課題】  簡単な構成で快適性と必要十分な換気量との両方を満足できる換気システムを提供する。【解決手段】  住宅１の所定の場所に設置された換気扇２と、各居室３〜５にそれぞれ設けられ、居室内の換気量を設定するためのリモコン６〜８と、各居室３〜５の室外と室内とを隔てた壁にそれぞれ設けられた給気口に取り付けられ、その給気口を介して居室内に取り入れる外気の給気量を可変する給気ダンパ９〜１１と、リモコン６〜８のキー操作に基づいて各居室３〜５に必要な換気量を判別し、かつ、それぞれの換気量が各居室３〜５において確保されるように各居室３〜５の給気ダンパ９〜１１の開度を設定すると共に、各居室３〜５の換気量の合計に相当する排気量となるように換気扇２の風量を制御する制御装置１２とで構成されている。【選択図】        図１
2005315530.tif 000002
【特許請求の範囲】
【請求項１】
建物内の複数の居室にそれぞれ設けられ、居室内に外気を供給する給気量を可変可能な給気口と、
前記複数の居室にそれぞれ設けられ、居室の換気量を設定するための換気量設定手段と、
建物内の所定の場所に設けられ、各居室内の空気を一括して排気する排気手段と、
前記各換気量設定手段からの情報に基づいて前記各給気口の給気量をそれぞれ制御すると共に、各給気口の給気量に基づいて前記排気手段の風量を制御する制御手段と
を備えたことを特徴とする換気システム。
【請求項２】
前記制御手段は、前記情報が第１の特定情報のとき、所定期間、その第１の特定情報を発した換気量設定手段と同じ居室に設けられた給気口の給気量、及び前記排気手段の風量をそれぞれ制御することを特徴とする請求項１記載の換気システム。
【請求項３】
前記制御手段は、前記情報が第２の特定情報のとき、所定期間、その第２の特定情報を発した換気量設定手段と同じ居室に設けられた給気口の給気量、及びそれ以外の居室に設けられた給気口の給気量、並びに前記排気手段の風量をそれぞれ制御すること特徴とする請求項１又は２記載の換気システム。
【請求項４】
前記第１の特定情報は一時停止を要求する情報であり、前記制御手段は、その情報の入力を確認したとき、所定期間、前記情報を発した換気量設定手段と同じ居室に設けられた給気口の給気量をゼロにすることを特徴とする請求項２記載の換気システム。
【請求項５】
前記第２の特定情報は急速換気を要求する情報であり、前記制御手段は、その情報の入力を確認したとき、所定期間、前記情報を発していない換気量設定手段と同じ居室に設けられた給気口の給気量をゼロにすることを特徴とする請求項３記載の換気システム。
【発明の詳細な説明】
【技術分野】
【０００１】
本発明は、複数の居室に対して同時に換気を行う建物の換気システムに関するものである。
【背景技術】
【０００２】
従来、この種の換気システムは、トイレ、浴室、洗面所などのサニタリー系の排気のための換気扇と、各居室に設けられ、サーモスタットの動作に基づいて外気の給気量を調整する開度切換可能なモータダンパ付き給気口と、居室のリビングルームに設けられた室内温度センサ及び外気温度センサと、各居室のモータダンパの開度信号、換気スイッチの入切状態信号、室内温度センサ及び外気温度センサの検出温度を入力する制御装置とを備え、この制御装置により、前記の各入力に応じた換気扇の風量が制御されて、所定の換気量が得られている（例えば、特許文献１参照）。
【特許文献１】特開２００３−２５４５７０（第５頁、図１）
【発明の開示】
【発明が解決しようとする課題】
【０００３】
ところで、近年、高気密・高断熱住宅、建築基準法の改正などで使用者自身も換気の重要性を意識しており、使用者自身で意識的に、或いは好みによりこまめに換気を制御したいという要求も高まっている。しかしながら、前述した従来の換気システムにおいては、サーモスッタトや温度センサによる自動運転のため、このような使用者の要求を満足させることができなかった。
【０００４】
本発明は、かかる課題を解決するためになされたもので、簡単な構成で快適性と必要十分な換気量との両方を満足できる換気システムを提供することを目的とする。
【課題を解決するための手段】
【０００５】
本発明に係る換気システムは、建物内の複数の居室にそれぞれ設けられ、居室内に外気を供給する給気量を可変可能な給気口と、複数の居室にそれぞれ設けられ、居室の換気量を設定するための換気量設定手段と、建物内の所定の場所に設けられ、各居室内の空気を一括して排気する排気手段と、各換気量設定手段からの情報に基づいて各給気口の給気量をそれぞれ制御すると共に、各給気口の給気量に基づいて排気手段の風量を制御する制御手段とを備えたものである。
【発明の効果】
【０００６】
本発明においては、各居室に設けられた換気量設定手段からの各情報に基づいて、各給気口の給気量をそれぞれ制御すると共に、各給気口の給気量に基づいて排気手段の風量を制御するようにしたので、簡単なシステム構成で、居室利用者の好みに応じた換気を実現できる。
【発明を実施するための最良の形態】
【０００７】
以下、本発明の実施の形態を図１を参照して説明する。図１は本発明の実施の形態に係る住宅用の換気システムの構成を示す概略図である。
本実施の形態の換気システムは、図１に示すように、住宅１の所定の場所に設置され、各居室３〜５の空気を通気口１３〜１５を介して吸引し住宅１の外へ排出する換気扇２（排気手段）と、各居室３〜５にそれぞれ設けられ、居室内の換気量を設定するためのリモコン６〜８（換気量設定手段）と、各居室３〜５の室外と室内とを隔てた壁にそれぞれ設けられた給気口に取り付けられ、その給気口を介して居室内に取り入れる外気の給気量を可変する給気ダンパ９〜１１と、換気扇２の近傍に設けられ、換気扇２、リモコン６〜８及び給気ダンパ９〜１１とそれぞれ有線あるいは無線を通じて電気的に接続された制御装置１２（制御手段）とで構成されている。なお、図中に示す破線１６〜１８は、居室内を流れる空気の換気経路である。
【０００８】
前述した給気ダンパ９〜１１は、制御装置１２からの制御に基づいてダンパの開度を可変するモータを有している。リモコン６〜８には、換気量を設定する例えば、「停止」キー、「弱」キー、「強」キー、「一時停止」キー、「急速換気」キーなどの各種キーを有し、「停止」キーが操作されたときは定常換気を要求する情報を制御装置１２に送信し、「弱」キーが操作されたときは換気弱を要求する情報を送信し、「強」キーが操作されたときは換気強を要求する情報を送信し、「一時停止」キーが操作されたときは換気の一時停止を要求する情報（第１の特定情報）を制御装置１２に送信し、「急速換気」キーが操作されたときは急速換気を要求する情報（第２の特定情報）を送信する。
【０００９】
制御装置１２は、全てのリモコン６〜８が操作されていないとき、定常換気となるように給気ダンパ９〜１１の開度及び換気扇２の風量を制御する。本実施の形態における定常換気は、各居室３〜５に最低限必要な例えば１時間当たり２０立方メートルの換気量で、その換気量を確保するために、各居室３〜５に設けられた給気ダンパ９〜１１の開度を全て「１」に設定し、各居室３〜５の換気量の合計に相当する１時間当たり６０立方メートルの排気量となるように換気扇２の風量を制御する。この定常換気状態、即ち各居室３〜５の換気量が１時間当たり２０立方メートルのときに、「弱」キーの操作による換気弱の要求情報が受信されたときは、例えば、そのリモコンが設けられた居室の換気量が１時間当たり４０立方メートルになるように、その居室の給気ダンパの開度を「２」に設定し、各居室３〜５の換気量の合計に相当する１時間当たり８０立方メートルの排気量となるように換気扇２の風量を制御する。「弱」キーが操作されたリモコンの「停止」キー操作による定常換気の要求情報が受信されたときは、その居室の換気量が定常換気となるように、給気ダンパの開度及び換気扇２の風量を制御する。
【００１０】
また、各居室３〜５が定常換気状態のときに「強」キーが操作されたときは、そのリモコンが設けられている居室の換気量が１時間当たり６０立方メートルになるように、その居室の給気ダンパの開度を「３」に設定し、その居室の換気量及びその他の居室の換気量の合計に相当する１時間当たり１００立方メートルの排気量となるように換気扇２の風量を制御する。さらに、前記と同様に定常換気状態のときに「一時停止」キーが操作されたときは、例えば３０分間、そのリモコンが設けられている居室の換気量がゼロになるように、その居室の給気ダンパの開度を「０」に設定し、その他の居室の換気量の合計に相当する１時間当たり４０立方メートルの排気量となるように換気扇２の風量を制御する。そして、３０分経過したときは、換気量ゼロの居室が定常換気状態になるように給気ダンパの開度及び換気扇２の風量を制御する。「急速換気」キーが操作されたときは、例えば３０分間、そのリモコンが設けられている居室の換気量が１時間当たり８０立方メートルになるように、その居室の給気ダンパの開度を「４」に設定すると共に、その他の居室の換気量がゼロになるように給気ダンパの開度を「０」にし、給気ダンパの開度を「４」にした居室の換気量に相当する１時間当たり８０立方メートルの排気量となるように換気扇２の風量を制御する。そして、前記と同様に３０分経過したときは、全居室３〜５が定常換気状態になるように給気ダンパ９〜１１の開度及び換気扇２の風量を制御する。なお、前述した各キーの操作によって設定される各居室３〜５の換気量は一例であって、これに限定されるものではない。
【００１１】
前述した給気ダンパ９〜１１の開度「１」はダンパの極小開の状態であり、開度「２」はダンパの小開の状態であり、また、開度「３」はダンパの中開の状態であり、開度４はダンパの全開の状態である。各リモコン６〜８の「一時停止」キーの操作による居室内の換気量ゼロの設定は、例えばエアコンの運転による居室内の冷房や暖房などが効率よく行われるようにするためのものであり、「急速換気」キーの操作による居室内の換気量の設定は、例えば喫煙などによって汚れた居室内の空気を短時間で排気するためである。
【００１２】
次に、本実施の形態の換気システムの動作を説明する。
各居室３〜５が定常換気状態のときに、例えば居室３の利用者がリモコン６の「弱」キーを操作すると、制御装置１２は、そのキー操作による換気弱の要求情報を受信し、この情報に基づいて、居室３に設定されている１時間当たり２０立方メートルの換気量が４０立方メートルになるように、居室３の給気ダンパ９の開度を「１」から「２」に変更し、居室３の換気量（４０立方メートル）とその他の居室４，５の換気量（各２０立方メートル）の合計に相当する１時間当たり８０立方メートルの排気量となるように換気扇２の風量を制御する。この換気状態において、居室３に設けられたリモコン６の「強」キー操作による換気強の要求情報が受信されたときは、居室３に設定されている１時間当たり４０立方メートルの換気量が６０立方メートルになるように、居室３の給気ダンパ９の開度を「２」から「３」に変更し、この居室３の換気量（６０立方メートル）とその他の居室４，５の換気量（各２０立方メートル）の合計に相当する１時間当たり１００立方メートルの排気量となるように換気扇２の風量を制御する。この後に、同じリモコン６の「停止」キー操作による定常換気の要求情報が受信されたときは、居室３に設定されている１時間当たり６０立方メートルの換気量が２０立方メートルになるように、居室３の給気ダンパ９の開度を「３」から「１」に変更し、この居室３の換気量（２０立方メートル）とその他の居室４，５の換気量（各２０立方メートル）の合計に相当する１時間当たり６０立方メートルの排気量となるように換気扇２の風量を制御する。
【００１３】
また、制御装置１２は、居室３が換気強で、その他の居室４，５が定常換気のときに、居室３に設けられたリモコン６の「一時停止」キー操作による一時停止の要求情報が受信されたときは、時間の測定を開始し、かつ居室３の換気量がゼロになるように、その居室３の給気ダンパ９の開度を「０」にして外気の取り入れを遮断し、その他の居室４，５の換気量（各２０立方メートル）の合計に相当する１時間当たり４０立方メートルの排気量となるように換気扇２の風量を制御する。そして、時間の測定開始から３０分経過したかどうかを判定し、３０分経過したときは、居室３の換気量が他の居室４，５と同じ１時間当たり２０立方メートルになるように、給気ダンパ９の開度を「０」から「１」に変更し、各居室３〜５の換気量の合計に相当する１時間当たり６０立方メートルの排気量となるように換気扇２の風量を制御する。３０分経過する前に、同じリモコン６の「停止」キー操作による定常換気の要求情報が受信されたときは、前記と同様に換気量ゼロの居室３が他の居室４，５と同じ定常換気となるように給気ダンパ９の開度及び換気扇２の風量を制御する。
【００１４】
さらに、制御装置１２は、各居室３〜５が定常換気状態であるときに、居室３に設けられたリモコン６の「急速換気」キー操作による急速換気の要求情報が受信されると、時間の測定を開始し、かつ居室３の換気量が１時間当たり８０立方メートルになるように、その居室３の給気ダンパ９の開度を「１」から「４」に設定すると共に、その他の居室４，５の換気量がゼロになるように給気ダンパ１０，１１の開度を「１」から「０」にして外気の取り入れを遮断し、居室３の換気量に相当する１時間当たり８０立方メートルの排気量となるように換気扇２の風量を制御する。そして、前記と同様に時間の測定開始から３０分経過したかどうかを判定し、３０分経過したときは、居室３の換気量が８０立方メートルから２０立方メートルになるように、居室３の給気ダンパ９の開度を「４」から「１」に変更すると共に、その他の居室４，５の換気量がゼロから２０立方メートルになるように、居室４，５の給気ダンパ１０，１１の開度を「０」から「１」に変更し、各居室３〜５の換気量の合計に相当する１時間当たり６０立方メートルの排気量となるように換気扇２の風量を制御し、全居室３〜５が定常換気状態になるようにする。前記と同様に３０分経過する前に、同じリモコン６の「停止」キー操作による定常換気の要求情報が受信されたときは、前述したように全居室３〜５が定常換気となるように給気ダンパ９〜１１の開度及び換気扇２の風量を制御する。
【００１５】
以上のように本実施の形態によれば、リモコン６〜８のキー操作に基づいて各居室３〜５に必要な換気量を判別し、かつ、それぞれの換気量が各居室３〜５において確保されるように各居室３〜５の給気ダンパ９〜１１の開度を設定すると共に、各居室３〜５の換気量の合計に相当する排気量となるように換気扇２の風量を制御するようにしたので、簡単なシステム構成で、居室利用者の好みに応じた換気を実現できる。
また、リモコン６〜８のキー操作によって換気を一時的に停止させることができるようにしたので、エアコンの運転による居室内の冷房や暖房を効率よく行うことが可能になる。さらに、リモコン６〜８のキー操作によって居室内を急速換気できるようにしたので、喫煙などによって汚れた居室内の空気を短時間で排気することが可能になり、快適性が向上するという効果がある。
【００１６】
なお、前記の実施の形態では、各居室３〜５に取り入れた空気を換気扇２で吸引して住宅１の外へ排出するようにしたが、換気扇２に代えて例えば既設のキッチンレンジフードを換気システムに取り入れて各居室３〜５の換気を行うようにしてもよい。キッチンレンジフードを換気システムに取り入れた場合、各居室３〜５の換気量に基づく排気量に応じてそのキッチンレンジフードの風量を制御し、ガスレンジの使用時には、それに必要な排気量を加えた風量となるようにキッチンレンジフードを駆動する。
【図面の簡単な説明】
【００１７】
【図１】本発明の実施の形態に係る住宅用の換気システムの構成を示す概略図である。
【符号の説明】
【００１８】
１  住宅、  ２  換気扇、  ３〜５  居室、  ６〜８  リモコン、  ９〜１１  給気ダンパ、  １２  制御装置、  １３〜１５  通気口、  １６〜１８  換気経路。
【図１】
2005315530.tif 000003